(57)【要約】  液体製品用ディスペンサーにおいては、下端部にホース状の放出開口部を有する袋状のものが使用される。このホースを圧搾することにより内容物が放出される。２つの平坦面を互いに近づけると放出が改善される。その両平面を圧搾に先立って締め付け手段を設けるとさらに改善される。
2005514282.tif 000002
【特許請求の範囲】
【請求項１】
液体製品用容器を壁面に装着するためのホルダー用の器具であって、前記容器はプラスチック、ガラス、紙、金属その他の種々の材料から製造され、そして着脱可能であることが望ましい細長の開閉部材を有する袋状またはボトル状の容器であり、ホルダーに軸動可能に取りつけられるレバーのような作用部材によって、外部から横断的にかつ手動操作の作用を受けるポンプ装置のような放出手段を有し、
細長の開閉部材を有する前記容器はコンテナ（５）に寄りかかって支持されるように設計されており、
前記コンテナ（５）のブランク（変形前のもの）は、図２に示すように、長手方向とそれに直交する方向を有する実質的に矩形のプレート（５）からなり、プレート（５）にはその長手方向に貫通スロット（６）が伸びて前記スロット（６）の両側に２つの部分（７，８）を形成し、かつプレート（５）は前記スロットに対してほぼ直角軸方向に折り曲げられて実質的にＵ字型形状をしており、
前記スロット（６）の一方のプレート部（７）は内側に曲げられてＵ字状部（７）を形成し、その外側の部分は前記細長開閉部材を囲んでその横方向の動きを制限するように設計され、
前記スロット（６）の他方のプレート部（８）は外側を向くように保持されてその内側部で前記容器とその細長開閉部材を部分的に囲むようにされ、
前記作用部材（１７）は、図１０に示すように、Ｕ字状に内側に曲がった部分（７）の外側表面に挿入されるように設計された部分（１８）を有し、それにより好ましくは管状である細長開閉部材（２５）が前記作用部材（１７）の前記部分（１８）と前記内側に曲がった部分（７）の外側表面との間に位置するように設計されるホルダー用の器具において、
前記の内側に曲げられた部分（７）の外側表面と前記の作用部材（１７）の挿入部分（１８）とが互いに平行であり、この状況下で間に位置する管状部分（２５）に隙間がなくなるように圧搾されることを特徴とするホルダー用の器具。
【請求項２】
圧搾がなされる部分が平坦であることを特徴とする請求項１に記載の器具。
【請求項３】
前記作用部材（１７）の挿入部分（１８）が、平板等の平坦部材（３７）を備えていることを特徴とする請求項２に記載の器具。
【請求項４】
前記圧搾部（３７，４０）の一方あるいは両方が、圧搾に先立って締め付けを行うための締め付け手段（３８，３９）を備えていることを特徴とする請求項１〜３のいずれかに記載の器具。
【請求項５】
前記プレート（５）が第二のスロット（４１）を有し、内側に曲げられた部分（７）が外側を向いた二つの部分（８，４２）により囲まれていることを特徴とする請求項１〜４のいずれかに記載の器具。
【発明の詳細な説明】
【技術分野】
【０００１】
本発明は、液体製品用容器のためのホルダーに関する。
【背景技術】
【０００２】
液体製品用容器を壁面に装着するためのホルダー用の器具は知られている。すなわち、前記容器はプラスチック、ガラス、紙、金属その他の種々の材料から製造され、そして着脱可能であることが望ましい細長の開閉部材を有する袋状またはボトル状とし得る容器であり、ホルダーに軸動可能に取りつけられるレバーのような作用部材の一部を、外部から、横断的にかつ手動操作の作用を受けるポンプのような内容物放出手段を有し、細長の開閉部材を有する前記容器はコンテナに寄りかかって支持されるように設計されており、前記コンテナのブランク（変形前のもの）は、長手方向とそれに直交する方向を有する実質的に矩形のプレートからなり、プレートにはその長手方向に貫通スロットが伸びて前記スロットの両側に２つの部分を形成し、かつプレートは前記スロットに対してほぼ直角軸方向に折り曲げられて実質的にＵ字型形状をしており、前記スロットの一方のプレート部は内側に曲げられてＵ字状部を形成し、その外側部は前記細長開閉部材を囲んでその横方向の動きを制限するように設計され、前記スロットの他方のプレート部は外側を向くように保持されてその内側部で前記容器とその細長開閉部材を部分的に囲むように設計されてなる。
【発明の開示】
【発明が解決しようとする課題】
【０００３】
本発明の目的は、作用部材の動きに応じて予め決定した量の液体製品が供給されるような器具を提供することにある。
【課題を解決するための手段】
【０００４】
本発明に従えば、上記目的は、前記ホース状部分が予め決定した長さに沿って圧搾され、その部分の内容物が放出されて空になることにより達成される。上記目的は、矩形プレートにおいて内側に曲げられた部分の外側表面が作用部材と協働することにより達成される。前記外側表面は、挿入位置における前記表面と実質的に平行に形成された作用部材の部分と協働する。このように、作用部材は、それが挿入される位置において前記外側表面と平行な部分を有していることが適している。圧搾された製品の量は、内側に曲げられた部分の外側表面と協働する作用部材の前記部分の長さにより決定される。このように、内側に曲げられた部分はその中央部で完全な平坦矩形表面となっていることが好ましい。作用部材もまた、前述の表面部と協働するプレート材を備えることができる。
【０００５】
作用部材及び／または内側に曲げられた部材の外側表面に、圧搾が行われる前に、ホースを締め付ける手段をホースの容器に近い側に設けることができる。これによってホース中の液体製品が容器に戻るのが防止される。ホースは、バルブを備えた自由端とすることができる。前記バルブは弾力があり、通常は閉じた状態であるが、ホースの中の液体製品からの圧力に影響を受けて、バルブが開いて特定の量が放出されるようになっている。
【発明を実施するための最良の形態】
【０００６】
本発明のさらなる特徴は添付の請求の範囲に開示される。本発明についての一層の理解のために、最初に公知の器具を１１の添付図面を参照して説明し、次いで本発明を２つの添付図面を参照して説明する。
図１は、公知のホルダーを示す。
図２は、図１で示されるホルダーを製造するためのブランク（変形前プレート）を示す。
図３は、本発明に従って変更されたホルダーを示す。
図４は、図３のホルダーにおいて管状の放出装置を備えた状態を示す。
図５は、本発明に従うホルダーのためのケーシングを示す。このケーシングは周辺機器的なものであり、その断面は様々なタイプのものとすることができる。このケーシングは任意の適当などんな材料でも製造することができ、平滑な材料でもよく、ケーシングが一定間隔で配置された多数の細長い薄板や、網の目構造でもよい。
図６は液体製品の容器を完全に囲み、そして固定することが可能なケーシングを示す。
図７は、図６のケーシングを開く最初の状態を示す。
図８は、図６のケーシングが完全に開いた状態を示す。
図９は、ドーム状の外部ケーシングのジャーナル（軸受けの支承部）用の二本の閉鎖スロット溝のうちの一方を示す。
図１０は第一の圧搾器具を示す。
図１１は別の圧搾器具を示す。
【０００７】
公知のホルダーとそれを製造するために必要な材料を示す図１及び２について考察する。矩形のプレートを最初に用い、中央開口部６とその開口スロットの両側に２つのプレート状部分７，８を形成する。変形したプレートを取り付けるための孔９，１０も形成する。図２のプレートは図１に示すようプレート５はＵ字型になるように折り曲げられる。スロット６の右側のプレート部分はホルダーの上部８を形成し、スロット６の左側のプレート部分はホルダーの内側に折り込まれるように折り曲げられ壁７を形成し、この壁は液体製品用容器の放出部分に接する壁面を構成する。折り曲げられたユニットは、ネジ取付け用の穴１５，１６を設けた２つの取付け用フランジ１３，１４を備えている。折り曲げられたユニット５から湾曲部３を有する２本のロッド１，２が伸びており、この湾曲部分と直線部分との間に、袋状あるいはボトル状容器を内側に曲げられた壁７に下るように挿入する。ホルダーの内側に曲げられた部分に近い容器部分は、２本の側腕１９，２０を有する作用部材１７の作用を受ける。これらの側腕は自由端にピン２１，２２を有し、これらのピンは曲げられた金属プレート５の孔１１，１２に軸支される。
【０００８】
他の公知の器具は、図１のホルダーとは幾分異なるものとして開発され、ホルダー部８が相当に短く作られ作用部材の構成も異なり、より長く平らな直線部１８を有し、それが自由端に支持部２４を必要とする管状部２５に多かれ少なかれ接触する。図３及び図４に示すホルダーの最も重要な特徴は、液体製品を収容し、放出用パイプ２５のような長いパイプであって、このパイプには液体放出用のポンプ等の手段を含んでもよい容器用として適当なものであるということである。
【０００９】
図５に、図４に類似した器具を示すが、これは任意の形状の管状ケーシングを有し、このケーシングには図４のような内容物の入った箱を挿入することができる。ケーシングは平滑な表面を有するものでもよいし、あるいは多数の細長い薄板を順次平行に並べたり、網の目構造にしたものでもよい。場合によっては、液体製品を収容する容器に悪影響が及ぼないように容器の周りに保護ケーシングを設けることが望ましい。この場合には、２枚の側面フランジ３５，３６を備えた平面部３１、及びこのフランジと協働するドーム状のケーシング３０を有する２重ケーシングが用いられる。これはその両下端部に、閉鎖されたスロット３４の中を動く、すなわち、スロットの一方の端から他方の端まで移動するジャーナルピン２６を備えている。ドーム状部分３０が３１部側で下方に移動すると、びょう２７が開口部を有する溝３２及び３３に係合する。このように、ドーム状部分３０が３１部側で下方に移動すると、びょう２７が溝３２及び３３と協働し、閉じた状態ではドーム状部分３０はスロット３４の下端部に移動でき、この位置でドーム状部分３０は平面部３１にロックでき、液体製品を収容した容器が損傷しないようにできる。図７から分かるように、ドーム状の外部ケーシングを開くためには、外に折り曲げて３１部に対して直角の位置まで開くことができる迄、上方に幾らかの距離を動かさなければならない。このように上方に動かすのは、ドーム状のケーシングが下がっているときに、使用中のホルダー装置を保護するためである。図６、７及び９に記載されているケーシングは、ここに記載した構成以外のホルダー装置に適用できることは明らかである。
【００１０】
上述した公知の構成では、液体製品を特定量放出することができないという問題を有している。
【００１１】
本発明の具体例を、図１０を参照してより詳細に述べる。本具体例は、上述したものとは、内側に曲げられた部分７がその中央部分で平坦面４０を形成している点、及び図１０及び１１に示されるように、レバー１７の１８部分が平坦面４０と協働して、レバーが最も下の位置にあるときにプレート３７と表面４０と実質的に平行になり、レバーの押し下げにより内部にあるホース２５がプレート３７の長さに相当する長さにわたって完全に圧縮される点で異なっている。プレート３７は外向きに曲げられた部分３８を有しているが、これはフランジ３９等が設けられている内側に曲げられた部分の平坦な面の上端部でもあり、その場所で３８部と３９部は、３７部と４０部によりホースが圧搾される前にホース２５を締め付ける。平面プレート５（図２参照）は、また第二の溝４１を備え、これにより突出部４２が形成され、ホースを支持することができる。ホース端部には、弾力性バルブを設けることが好ましく、このバルブはホースからの液体製品が圧力を受けるときには開いて予め決まった量の液体製品を放出するように設計される。
【００１２】
図１１は本発明の第二の具体例を示すものであり、プレート３７がレバー１７の下方部の特定形状部１８に置き換えられた点で前記の具体例と異なっている。下方部１８は、プレート３７の３８部と全く同じく機能する。更に、内側に曲げられた部分７は、その上端に内側に湾曲した図１０のユニット３９に相当するフランジ４４を備えている。レバー１７の特定形状部１８に取り付けられた横向部材４３は前述のユニットと協働する。
【００１３】
上記の例において、互いに関連して動く２種の部材によって締め付けが達成された。もちろん、締め付けは他のいかなる手段によっても行うことができる。ホース端部のバルブの配置も、前記と同様の機能を示す種々の方法で設計することができる。
【図面の簡単な説明】
【００１４】
【図１】公知のホルダー。
【図２】図１で示されるホルダーを製造するためのブランク（変形前プレート）。
【図３】本発明に従って変更されたホルダー。
【図４】図３のホルダーにおいて管状の放出装置を備えた状態。
【図５】本発明に従うホルダーのためのケーシング。
【図６】液体製品の容器を完全に囲み、そして固定することが可能なケーシング。
【図７】図６のケーシングを開く最初の状態。
【図８】図６のケーシングが完全に開いた状態。
【図９】ドーム状の外部ケーシングのジャーナル（軸受けの支承部）用の二本の閉鎖スロット溝のうちの一方。
【図１０】第一の圧搾器具。
【図１１】別の圧搾器具。
【符号の説明】
【００１５】
１，２  ロッド
３  ロッドの湾曲部
５  プレートまたはそれを変形してなるコンテナ
６，３４，４１  スロット
７，８  プレート状部
１１，１２  孔
１３，１４  取付け用フランジ
１５，１６  取付けネジ用の穴
１７        作用部材
１９，２０  作用部材の側腕
２１，２２  ピン
２４        支持部
２５        管状部（パイプ）
２６        ジャーナルピン
２７        びょう
３０        ケーシングのドーム状部
３１        ケーシングの平面部
３２，３３  溝
３５，３６  側面フランジ
３７        プレート
４０        平坦面
４１        第二の溝
４２        ホース支持のための突出部
４２        横向部材
【図１】
2005514282.tif 000003
【図２】
2005514282.tif 000004
【図３】
2005514282.tif 000005
【図４】
2005514282.tif 000006
【図５】
2005514282.tif 000007
【図６】
2005514282.tif 000008
【図７】
2005514282.tif 000009
【図８】
2005514282.tif 000010
【図９】
2005514282.tif 000011
【図１０】
2005514282.tif 000012
【図１１】
2005514282.tif 000013
【国際調査報告】
2005514282.tif 000014
2005514282.tif 000015
2005514282.tif 000016